(57)【要約】【課題】収穫した生花が流通過程で萎れたり、傷ついたりすることを抑制して、長期間にわたって鮮度を維持すると共に、飲食品など他の商品と一緒に流通、展示・販売することができる生花製品を提供する。【解決手段】本生花製品１０は、生花とＦ、生花を密閉して収容する柔軟な袋体１１と、袋体を膨化させるために内部に充填されたエアＡと、から構成されている。袋体は、内部に収容された生花を外部から視認可能とする透明領域を有すると共に、生花の花弁が上方に位置して起立するように自立可能とする縦立手段１２を備えている。縦立手段１２としては、袋体の下方（底部）に設けた襠部とすることができる。襠部としては、袋体が膨化する前は平面的に折り畳まれており、袋体が膨化することで奥行を有するように底部が拡がるものとなる隠れ襠部としても良い。【選択図】図１
2020182400.tif 000002
【特許請求の範囲】
【請求項１】
生花と、
前記生花を密閉して収容する柔軟な袋体と、
前記袋体を膨化させるために内部に充填されたエアと、
から構成され、
前記袋体は、内部に収容された前記生花を外部から視認可能とする透明領域を有すると共に、前記生花の花弁が上方に位置して起立するように自立可能とする縦立手段を備えている、
ことを特徴とする生花製品。
【請求項２】
前記縦立手段は、前記袋体の下方に設けた襠部であることを特徴とする生花製品。
【請求項３】
前記袋体は、エア充填口を底部に備えていることを特徴とする請求項１又は２に記載の生花製品。
【請求項４】
前記生花は、アクリルポリマーを主成分として含む被覆処理液で表面がコーティングされたものであることを特徴とする請求項１乃至３の何れか１項に記載の生花製品。
【請求項５】
前記エアは、前記袋体の内部への充填時から、前記生花の生育は抑制するが障害は起こさない所定の低温度に冷やされていることを特徴とする請求項１乃至４の何れか１項に記載の生花製品。
【請求項６】
色彩又は模様が加えられた不透明領域を部分的に有することを特徴とする請求項１乃至５の何れか１項に記載の生花製品。
【請求項７】
前記色彩又は前記模様は、前記袋体の一面に直接施されたものであることを特徴とする請求項６に記載の生花製品。
【請求項８】
前記色彩又は前記模様は、前記袋体の一面に貼着したシールに施されたものであることを特徴とする請求項６に記載の生花製品。
【請求項９】
前記色彩又は前記模様は、前記生花を包んで前記袋体の内部に挿入されたシートに施されたものであることを特徴とする請求項６に記載の生花製品。
【請求項１０】
前記模様は、文字であることを特徴とする請求項７乃至９の何れか１項に記載の生花製品。
【発明の詳細な説明】
【技術分野】
【０００１】
本願発明は、特定の流通・販売方法による生花製品に係り、詳しくは、栽培地で収穫した生花（花卉）が、流通段階や展示段階で萎れたり傷ついたりすることを抑制し、鮮度を維持して販売することができるようにした技術に関する。
【背景技術】
【０００２】
近年、海外から日本への生花の輸入量が増加している。たとえば、バラはインドから、カーネーションはコロンビアから、スプレーマムはマレーシアから、輪ギクは中国からの輸入がそれぞれ多い。
【０００３】
ところが、生花は通常の青果物よりも商品としての持続期間が短いため、流通段階において、萎れたり、傷んだり、カビたり、腐ったりし易いものである。しかも、上述のように海外から船舶で生花を輸入する場合、収穫から販売店で展示されるまでに数週間から一カ月近い長期間を要することとなるため、流通段階において生花が受けるダメージは一層顕著である。また、花束や花篭等の装飾を施した生花製品の展示段階においても、同様の問題がある。
【０００４】
そのため、生花が受けるダメージを少なくして新鮮な状態を長く維持する手段として、低温による保存方法が一般的に知られている。つまり、生花の老化の進行は、生花の呼吸速度と密接に関係し、この呼吸は温度依存性が極めて高いといわれている。また、収穫直後の生花の呼吸速度は、保存温度の増加に対して指数関数的に増加し、この呼吸により生花の老化を招くとともに、呼吸熱による蒸れが発生し、微生物の繁殖を招くことになる。ゆえに、生花を冷蔵して低温で保存するものとしている。
【０００５】
しかしながら、生花を低温で保存する手段の場合、ある程度の期間は萎れや腐敗を阻止することができるものの、それだけでは海外から生花を輸入する場合などの長期間にわたって鮮度を保持することができない。
また、流通において生花は、段ボール箱やバケツ等に入れられた状態であるため、衝撃等から生花を保護することができない。しかも、生花は農薬や虫、雑菌等が付着しているおそれのあるため、特に飲食品など他の商品と一緒に流通・展示することが制限されるものである。
【０００６】
そこで、生花の鮮度を長期間にわたって保持することを目的として、生花の表面を樹脂でコーティングし、この皮膜によって生花の呼吸を適度に抑えると共に、生花中の水分の蒸散を抑制するようにした手段も提案されている（たとえば、特許文献１、２を参照）。
また、流通段階における衝撃等から生花を保護することを目的として、包材フィルムよりなる包装体で生花を包装した後、この包装体の内部にエアを充填し、エアによって包装体が容易に潰れることなく生花の圧潰を防止するようにした手段も提案されている（たとえば、特許文献３を参照）。
さらに、生花の鮮度を保持すると共に、食品と隣接して陳列可能することを目的として、生花をポリエチレンテレフタレート製二軸延伸ブロー成形容器（以下、「ＰＥＴ缶」という。）に生け、水のない状態で密封包装し、０．１〜０．５ｋｇ／ｃｍ３ の圧力に加圧した後、これを低温で保存または流通するようにした手段も提案されている（たとえば、特許文献４を参照）。
【０００７】
しかしながら、生花の表面を樹脂でコーティングする手段の場合、生花の鮮度を長期間にわたって保持することはできるものの、流通段階において衝撃等から生花を保護することができない。また、農薬や虫、雑菌等の問題が解消されず、飲食品など他の商品と一緒に流通・展示することができない。
【０００８】
また、生花を包装した包装体の内部にエアを充填する手段の場合、エアの存在によって流通段階において衝撃等から生花を保護すると共に、包装体の開口部を密封シールすることで生花に付着しているおそれのある農薬や虫、雑菌等の問題を解消することはできるものの、生花の鮮度維持に最も影響を及ぼす温度（気温）について何ら考慮されていない。ゆえに、数週間から一カ月近い長期間や、気温の高い夏場において、生花の鮮度を保持することはできないものといえる。しかも、包装体に熱収縮性のフィルムを用いて、植物を収納した包装体の開口部を密封シールした後に、包装体を加熱して熱収縮させるものとしていることから、生花が熱に対する影響を必要以上に受け、適切に鮮度を保持することはできないものと判断される。
【０００９】
また、生花をＰＥＴ缶に生け、これを低温で保存または流通する手段の場合、適度な酸素透過性を有する特別な成形容器を必要とするため、花束のような生花製品ごとに特別な成形容器へ入れて流通・展示するのはコストが掛かり経済的ではない。また、ＰＥＴ缶を密封包装するために、容器本体の口部と蓋材とを巻き締め等しなければならず、生花の包装体内への密閉作業に手間が掛かると共に、その作業が非常に煩わしいものである。さらに、上述のような構造のＰＥＴ缶では、包材フィルムよりなる柔軟な袋状の包装体に比して開封作業が煩わしく、容易に開封することができない。しかも、開封作業中に生花を傷めてしまうおそれがある。
【００１０】
さらに、柔軟な袋状の包装体の中に生花を収納し、その開口部を密封シールした後、包装体ごと冷却して生花を低温で保存するという、従来技術を適宜組み合わせた手段も考えられる。
ところがこの手段の場合、生花の冷却に伴って密封された包装体内のエアが冷やされるため、包装体内部の圧が低下して包装体は萎んだようになり、流通段階において衝撃等から生花を保護する機能が低下したものとなってしまう。しかも、包装体が萎むことで、その表面に皺や弛み等が発生して見栄えの悪いものとなり、そのまま展示・販売するには商品価値が著しく低下したものとなってしまう。
【００１１】
そこで、出願人は、表面がアクリルポリマーを主成分として含む被覆処理液でコーティングされた生花と、生花を収容する柔軟な袋体とから構成され、袋体は、生花の収容口が密閉され、内部に充填されたエアによって膨化していると共に、生花の周囲に生花の生育は抑制するが障害は起こさない所定の低温度に冷やされたエアが存在している生花製品を提案している（特許文献５を参照）。
【００１２】
この生花製品は、収穫後の生花の加工から流通、展示、販売までを一連に考慮したものであって、生花が流通過程で萎れたり傷ついたりせずに長期間にわたって鮮度を維持すると共に、飲食品など他の商品と一緒に流通・展示することができるものとなっている。
【００１３】
ところで、生花は横向き状態とすると、花弁に負荷が掛かることや、花弁に余分な水分が付着してしまうことで、傷みが早まってしまうことがある。そのため、柔軟な袋体内に生花をエアと共に密封した生花製品は、花弁が上方に位置して起立した状態を維持するように、花用スタンドやハンガーを用いて支持したり、袋体に手提部等を設けて吊り下げたりしておかなければならない。
【００１４】
しかしながら、生花製品の花弁が上方に位置して起立した状態を維持するような既知の展示・販売方法では、冷蔵設備以外に、花用スタンドやハンガーといった専用の器具を必要としたり、袋体において手提部等といった吊り下げ手段を設けたりする必要があり、食品など他の商品と一緒に流通・展示するは余計な制限が加わってしまうものとなる。
【００１５】
ゆえに、生花が流通過程で萎れたり傷ついたりせずに長期間にわたって鮮度を維持すると共に、飲食品など他の商品と一緒に流通・展示することができるようにした新たな生花製品が望まれている。
【先行技術文献】
【特許文献】
【００１６】
【特許文献１】実開昭６２−６０２０１号公報
【特許文献２】特開２００５−３０７０６０号公報
【特許文献３】実開平２−８７７６号公報
【特許文献４】特許第２９５７３３８号公報
【特許文献５】特許第６３７２９１０号公報
【発明の概要】
【発明が解決しようとする課題】
【００１７】
本発明は、上記事情に鑑みて成されたものであり、生花が流通過程で萎れたり傷ついたりせずに長期間にわたって鮮度を維持し、消費者に新鮮な状態の生花を持続的に提供できると共に、余計な制限が加わることなく、飲食品など他の商品と一緒にどこでも生花製品を展示・販売することができるようにした技術を提供することを目的とする。
【課題を解決するための手段】
【００１８】
本発明における生花製品は、生花と、生花を密閉して収容する柔軟な袋体と、袋体を膨化させるために内部に充填されたエアと、から構成され、袋体は、内部に収容された前記生花を外部から視認可能とする透明領域を有すると共に、生花の花弁が上方に位置して起立するように自立可能とする縦立手段を備えている、ことを特徴とする。
【００１９】
本生花製品において縦立手段は、袋体の下方（底部）に設けた襠部とすることができる。この襠部としては、所定の奥行を有するように予め拡がりをもって底部に形成されたものでも良いが、袋体が膨化する前は平面的に折り畳まれており、袋体が膨化することで奥行を有するように底部が拡がるものとなる隠れ襠部としても良い。
【００２０】
本生花製品においてエアは、エア充填口より袋体の内部へ充填されるものとすることができるが、このエア充填口は、生花（花弁）の視認に支障がなく、自立させたときに目立たず隠れるものとなるように、袋体の底部近傍に設けるものとすると望ましい。
【００２１】
また、本生花製品において生花は、そのまま袋体の内部へ収容されたものとしても良いが、アクリルポリマーを主成分として含む被覆処理液で表面がコーティングした後、袋体の内部へ収容されたものとしても良い。これにより、生花の表面に形成された被覆処理液による皮膜によって、生花の呼吸が適度に抑えられると共に、生花中の水分の蒸散が抑制され、生花が萎れずに長期間にわたって鮮度が維持されたものとすることができるので望ましい。
【００２２】
また、本生花製品において袋体内へ充填するエアは、袋体の内部へ収容される生花の種類によって、生花の生育は抑制するが障害は起こさない所定の低温度に冷やされているものとしても良い。これにより、長期間にわたって生花の鮮度を維持することができるので、消費者に対して新鮮な状態の生花（花卉）を持続的に提供することができるので望ましい。
【００２３】
また、本生花製品は、たとえば、コンビニエンスストアやドラッグストア、スーパーマーケット、ディスカウントストア、ホームセンター等の店舗や、自動販売機での展示において効果的であるように、内部に収容された生花を外部から視認可能な透明領域を有する袋体を用いるものとすることが望ましい。
【００２４】
さらに、本生花製品は、袋体の中に収容された生花を外部から確認することができるのであれば、色彩が加えられた部分的に不透明な領域を有するもの、又は模様が加えられた部分的に不透明な領域を有するものとしても差し支えない。色彩や模様としては、たとえば、袋体の一面に直接施すものとしても良いし、予め色彩や模様が施されたシールを袋体の一面に貼着したり、予め色彩や模様が施されたシートで生花を包み、生花と一緒に袋体の内部に挿入したりするものとしても良い。さらに、模様としては、文字であっても良い。
このような色彩や模様によって、生花製品の装飾的効果を一層高めるものとすることができる。
【発明の効果】
【００２５】
本発明の生花製品は、生花を収容する袋体の内部にエアが充填され、表面が緊張する程度に膨化したものとなっていると共に、袋体が自立可能となる縦立手段を備えたものとなっている。ゆえに、縦立手段によって生花の起立状態を維持することで、花弁へ加わる負荷を軽減すると共に、花弁への水分の付着を抑制して、流通、展示、販売を行うことができる。
【００２６】
したがって、本発明の生花製品は、収穫後の生花の加工から流通、展示、販売までを一連に考慮したものであり、生花が流通過程で萎れたり傷ついたりせずに長期間にわたって鮮度を維持し、消費者に新鮮な状態の生花を持続的に提供できると共に、専用の器具や吊り下げ手段といった余計な制限が加わることなく、飲食品など他の商品と一緒に流通・展示することが可能な、今までにない新たな方法で消費者に対して生花製品を提供することができるものとなる。
【図面の簡単な説明】
【００２７】
【図１】本発明に係る生花製品を示す正面図である。
【図２】本発明の生花製品に用いる袋体を示す正面図である。
【図３】本発明の生花製品に用いる袋体の構造を説明する正面中央縦断面図である。
【図４】本発明の生花製品に用いる袋体の構造を説明する（Ａ）膨化前の底面図、（Ｂ）少し膨化した状態の底面図である。
【図５】本発明の生花製品に用いる袋体を膨化させた状態を示す右側面である。
【発明を実施するための形態】
【００２８】
以下、本発明における実施の形態の一例について、図面を参照して説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２９】
本実施の形態における生花製品１０は、図１に示すように、生花Ｆと、生花Ｆを密閉して収容する柔軟な袋体１１と、袋体１１を膨化させるために内部に充填されたエアＡと、から構成されたものとなっている。
【００３０】
生花Ｆは、蕾が開花したものでも良いが、長期間流通過程に置かれることを考慮して、開花前に収穫した切り花を用いると望ましい。具体的には、若干の蕾が開き、おおよその蕾が未だ閉じている段階を示す、いわゆるカットステージがステージ２の状態で収穫した生花が望ましい。
【００３１】
また、生花Ｆは、収穫した後、素早くそのまま袋体１１の中へ収容するものとしても良いが、収穫した生花Ｆの根もと側を、硫酸アルミニウムを主成分として含む水揚げ処理液の中に所定時間浸漬しておく処理を事前に施すものとすると望ましい。
【００３２】
この水揚げ処理液としては、たとえば、イスラエル国のグリーノイ（Ｇｒｅｅｎｏｙ）社が製造・販売する前処理材である商品名：プリノイ（Ｐｒｅｎｏｙ）を用いることができる。
このプリノイは、生花の導管を開いて水揚げを良くする処理剤である。プリノイは、硫酸アルミニウムがベースとなっており、水のほか、第四級アンモニウム化合物、陰イオン界面活性剤が配合されたものとなっている。
【００３３】
また、水揚げ処理液に浸漬する前処理は、具体的に、生花Ｆの収穫後２〜４時間以内に行うことが望ましく、浸漬しておく時間は、少なくとも一夜、望ましくは１８〜２４時間行うものとすると良い。
このように、所定の前処理を施すものとすると、収穫した後の生花Ｆの鮮度がより一層維持され、長期間に及ぶ流通・販売工程に耐え得るものとすることができる。
【００３４】
また、生花Ｆは、収穫した生花Ｆの表面を、アクリルポリマー（アクリル共重合体）を主成分として含む被覆処理液でコーティングするものとしても良い。
被覆処理液としては、たとえば、イスラエル国のグリーノイ社が製造・販売する生体コーティング剤である商品名：ディップノイ（Ｄｉｐｎｏｙ）を用いることができる。
【００３５】
このディップノイは、生花より水分や栄養素等の蒸散を防ぐために、生花の花冠・蕾ならず、葉、茎を含めた全体をコーティングする処理剤である。ディップノイは、アクリル系樹脂がベースとなっており、プロクロラズや水のほか、第四級アンモニウム化合物、亜硫酸水素ナトリウム、イソプロピルアルコールが配合され、色やにおい等は生花側に影響しないものとなっている。
【００３６】
袋体１１は、図２乃至図４に示すように、生花Ｆを収容する収容口１３を一辺に有すると共に、内部に生花Ｆを収容した後、その収容口１３が密閉でき、かつ、内部へエアＡを充填することで風船のように膨らむことができる柔軟な収容体である。
【００３７】
この袋体１１における収容口１３の密閉は、接着剤を用いた封止でも、熱溶着による封止でも良く、特に限定はされないが、接着剤成分の生花Ｆへの影響や、密閉作業のし易さを考慮すると、熱溶着とすることが望ましい。ゆえに、袋体１１の素材としては、柔軟で熱溶着が可能な合成樹脂フィルムとすることが望ましく、具体的には、たとえば、ナイロンフィルムと低密度ポリエチレン（ＬＬＤＰＥ）フィルムとを組み合わせたシート材を用いて成形されたものとすることができる。
【００３８】
また、袋体１１は、収容部の中へエアＡを容易に充填することができるエア充填口１４を備える。このエア充填口１４は、収容部の中へ充填したエアＡが逆流して漏れない構造の逆止弁となっている。ゆえに、エアＡの充填によって膨らんだ袋体１１は無闇に萎まずに、このエアＡによって衝撃等から生花を保護することができるものとなっている。
【００３９】
さらに、袋体１１は、生花Ｆの花弁が上方に位置して起立するように自立可能とする縦立手段１２を備えている。この縦立手段１２としては、袋体１１の下方（底部）に一体的に設けた所定の奥行を形成する襠部とすることができる。
【００４０】
このような袋体１１は、生花Ｆを収容することができる大きさ及び形状をしている。袋体１１の大きさとしては、たとえば、幅１１０ｍｍ×縦（高さ）２９０ｍｍといった、５００ｍｌサイズのペットボトル容器と略同じ寸法とすると、ペットボトル入り飲料と一緒に流通、展示・販売することができるものとなる。また、袋体１１の形状としては、内部へエアＡが充填された立体状態において、上方の幅と下方の幅の寸法が等しいペットボトル容器と略同じ形状をした筒状体とすることができる。
【００４１】
図２乃至図４において、袋体１１は、上方の幅と下方の幅の寸法が等しい縦長矩形状をした二枚のシート材を重ね合わせ、その右側辺部１１Ｒと左側辺部１１Ｌ、及び底辺部１１Ｂを貼り合わせる（シールする）ことで、上辺に収容口１３を備え、底部に襠部１２と、エア充填口１４が設けられた、いわゆる襠付き三方平袋として示されている。
なお、図中の符合１７は、生花製品１０を開封する際の切り口、すなわち、袋体１１の開封を容易なものとする切込みである。
【００４２】
また、襠部１２は、図４（Ａ）に示すように、袋体１１が膨化する前は平面的に折り畳まれており、図４（Ｂ）に示すように、袋体１１が膨化することで、図中の白抜き矢印で示すよう方向に拡がって、奥行を有する底面部が形成されるものとなる隠れ襠部とすることができる。すなわち、袋体１１を構成する二枚のシート材は、底面側において直接貼り合わされるものではなく、表面のシート材と裏面のシート材とが襠部１２を介して互い貼り合わされたものとなっている。
【００４３】
ゆえに、このような隠れ襠部１２は、袋体１１がエアＡの充填によって立体的に膨化することことに伴って拡がり、この隠れ襠部１２に連続するシールされた表面側の底辺部１１Ｂと裏面側の底辺部１１Ｂが、袋体１１を自立させることができる脚部１６として機能するものとなっている。
【００４４】
そして、このように膨化した袋体１１は、図５に示すように、筒状をした縦長の収容部における収容口１３が熱溶着によって封止された密閉部１５となり、エア充填口１４より充填されたエアＡにより収容部が膨化することで襠部１２が拡がり、底部の封止領域（底辺部１１Ｂ）が脚部１６となって起立するものとなっている。
【００４５】
したがって、このような袋体１１の中に生花Ｆを収容し、収容口１３を密閉した後、エア充填口１４よりエアＡを充填すると、図１に示すように、袋体１１の底部に設けられた襠部１２が拡がり、袋体１１の底部の封止領域が脚部１６となって起立し、生花Ｆの花弁が上方に位置すると共に、根もと側が下方を向いた起立状態に展示された本生花製品１０となる。
【００４６】
また、袋体１１は、生花製品１０の展示において効果的であるように、内部に収容された生花Ｆを外部から視認可能とする透明領域を有する。ここで、透明とは、袋体１１を介して内部に収容された生花Ｆを外部から視認することができるものであることをいう。
ゆえに、袋体１１の中に収容された生花Ｆを外部から確認することができるのであれば、色彩や模様等が加えられた部分的に不透明な領域があっても差し支えない。
【００４７】
袋体１１に施す色彩や模様等は、袋体１１の一面（表面）に直接施すものとしても良いし、予め色彩や模様等が施されたシールを袋体１１の一面に貼着したり、予め色彩や模様等が施されたシート等で生花Ｆを包み、生花Ｆと一緒に袋体１１の内部に挿入したりするものとしても良い。また、袋体１１に加える模様等としては、たとえば、「お誕生日おめでとう！」といった誕生日プレゼント向けの文字や、「お母さん、いつもありがとう。」といった母の日プレゼント向けの文字等であっても良い。
【００４８】
エアＡは、流通、展示・販売する周囲環境温度と同じ室温であっても良いが、袋体１１の内部へ収容される生花Ｆの種類や季節に応じて、生花Ｆの生育は抑制するが障害は起こさない所定の低温度に冷やされているものとすると望ましい。
ここで、所定の低温度とは、生花の生理活性を最も抑制する温度をいい、具体的には、２〜７℃が良く、望ましくは２〜４℃とする。
【００４９】
また、袋体１１の中に収容した生花Ｆの周囲に所定の低温度に冷やされたエアＡが存在するものとなっている本生花製品１０は、食品や飲料等と冷蔵ショーケースを共用して展示することができる。
【００５０】
なお、袋体１１は、上方の幅と下方の幅の寸法が等しい筒状をした縦長の収容部を有するものに限らず、袋体１１の外形は平面状態において縦長矩形状をしたものであっても、下方へ向かうにしたがって徐々に幅が小さくなる下向きの略三角錐形状をした縦長の収容部を有するもの、すなわち、収容部の途中にテーパ状のガイド部を備えるものとしても良い。
【００５１】
このような袋体１１は、収容部の中へ生花Ｆを根もと側から挿入すると、収容部における幅狭の下方部分で、生花Ｆの根もと側のぶれを抑制して起立状態を保持することができる。また、複数本の生花Ｆが挿入された場合、根もと側が収容部の底部でばらけることのないように保持しつつ、幅広の上方部分で生花Ｆの花冠部分を保護するものとすることができる。
【００５２】
次に、本発明における生花製品１０を製造する方法の一例について説明する。
まず、収穫した生花Ｆの根もと側を、硫酸アルミニウムを主成分として含む水揚げ処理液の中に所定時間浸漬しておく。
次いでに、生花Ｆの表面を、アクリルポリマー（アクリル共重合体）を主成分として含む被覆処理液でコーティングする。
【００５３】
生花Ｆへの被覆処理液のコーティングは、生花Ｆの周囲に被覆処理液が万遍なく塗布されていれば良く、その方法は特に限定されない。本実施の形態では、収穫した生花Ｆ全体を被覆処理液の中へ浸漬することで、生花Ｆの表面に被覆処理液をきれいに万遍なくコーティングさせるものとする。この被覆処理液のコーティングは、被覆処理液の中に生花Ｆ全体を数秒から数十秒間浸漬することにより行うことができる。
【００５４】
引き続き、被覆処理液の中から生花Ｆを取り出し、余分な被覆処理液が落ち切るまで静置した後、この生花Ｆを、柔軟な袋体１１の中に収容し、その袋体１１の収容口１３を密閉する。
【００５５】
また、袋体１１の収容口１３を密閉する際に、この袋体１１の中にエチレンガス吸収剤（図示せず）を配置するものとしても良い。すなわち、エチレンは農産物の熟成を促すものとして知られており、袋体の中にエチレンガス吸収剤を配置することで、密閉した袋体の中のエチレンガスを吸着させて、生花の熟成を抑制することができるものとなる。
なお、このエチレンガス吸収剤は、特別なものである必要はなく、たとえば炭（竹炭等）や、多孔質の鉱物（ゼオライト等）といった周知のものを用いることができる。
【００５６】
さらに、生花Ｆの種類に応じて、作業を実施する周囲の雰囲気を所定の温度とし、生花Ｆに適した環境下で、収容口１３を密閉した袋体１１内にエア充填口１４を介してエアＡを充填して当該袋体１１を膨化させ生花製品１０とする。
そして、この生花製品１０は、生花Ｆに適した所定の温度を維持したまま、飛行機や船舶、鉄道、トラック、等によって店舗等へ搬送し、店舗等において展示・販売する。
【００５７】
なお、作業を実施する周囲の雰囲気を所定の低温度とした場合、少なくとも袋体１１内にエアを充填して当該袋体１１を膨化させる工程以降が、所定の低温度の環境下で行われれば良いので、生花を袋体１１の中に収容し、その収容口１３を密閉する工程から所定の低温度の環境下で行うものとすると良い。
【００５８】
このように本生花製品１０は、生花Ｆが袋体１１内に密閉されているので、農薬や虫、雑菌等が飛散するおそれが解消されたものとなっており、飲食品など他の商品と一緒に流通・展示することができるものとなる。
【００５９】
また、本生花製品１０は、食品等と冷蔵ショーケースを共用して展示することができ、生花Ｆに対して温度差によるストレスを極力与えずに、収穫した後の生花Ｆの鮮度をより長く維持し、長期間に及ぶ流通・販売工程に耐え得るものとすることができる。
【００６０】
また、本生花製品１０では、生花Ｆの周囲が袋体１１で覆われているので、顧客が購入して家へ持ち帰る際に強い風が吹いているときであっても、花冠が風によるストレスに晒されることなく確実に保護されるものとなる。
【００６１】
さらに、本生花製品１０は、顧客が購入して家へ持ち帰る際に生花が受けるダメージを著しく低下させることができるものとなっている。すなわち、これまで生花製品は、顧客が購入して家へ持ち帰る際、生花Ｆの根もと側部分を保持することで手の温もりを生花Ｆに伝えてしまったり、低温雰囲気中に置かれて（展示されて）いた生花をいきなり外気温に晒してしまったりすることから、生花は大きなダメージを受けるものとなっていた。特に、夏場など外気温が高いときは、温度による大きなストレスを受けるものとなっていた。  ところが、本生花製品１０の場合、生花Ｆに直接手を触れることなく持ち帰ることができるので、手の温もりを生花Ｆに伝えることなく、生花Ｆの鮮度を維持することができる。
【００６２】
しかも、エアＡが所定の低温度に冷やされたものであると、顧客が生花製品１０を購入して家へ持ち帰る際、生花Ｆは収容部の中に充填されたエアＡを介して徐々に外気温に晒されることになり、生花Ｆが受けるストレスを緩慢にして、生花Ｆの鮮度を維持することができるものとなる。
【００６３】
そして、顧客が家へ持ち帰った本生花製品１０は、切込み１７より袋体１１を切り裂く（破く）ことで簡単に生花Ｆを取り出し、もしくは袋体１１のまま、所望の場所に飾ることができる。
【００６４】
このように本発明は、収穫後の生花Ｆの加工から流通、展示、販売までを一連に考慮したものであり、流通・販売過程において長期間にわたって生花Ｆの鮮度を維持させることができるだけではなく、飲食品など他の商品と一緒に生花を流通・展示することができる。ゆえに、生花専門店に限らず、新たな販売先の拡大（開拓）や、これに伴った生花の販売機会の増加が見込まれるものとなる。
【００６５】
さらに、本発明では、収穫した後の生花Ｆの鮮度をより長く維持させることができると共に、飲食品など他の商品と一緒にといった今までにない販売方法を行うことができるので、生花Ｆの損失の軽減と需要の拡大によって、生産者（生花農家）の収益が増加し、生花Ｆの品質と生産技術が向上することも期待できる。
【符号の説明】
【００６６】
Ａ  エア、Ｆ  生花、１０  生花製品、１１  袋体、１２  襠部、１３収容口、１４  エア充填口（逆止弁）、１５  密閉部、１６  脚部、１７  切込み。
【図１】
2020182400.tif 000003
【図２】
2020182400.tif 000004
【図３】
2020182400.tif 000005
【図４】
2020182400.tif 000006
【図５】
2020182400.tif 000007